(57)【特許請求の範囲】
【請求項１】
試薬容器に収容された染色試薬を用いて、検体である全血に含まれる血球を染色し、染色した血球を計数する血球計数装置であって、
前記試薬容器は、開口が設けられた上面と、記憶媒体が設けられた側面とを含み、
前記試薬容器が配置される配置部と、前記配置部に配置された前記試薬容器の前記記憶媒体に対して電波の送受信を行う電波通信部と、を含む試薬ホルダ部が複数並んで設けられた試薬収納部と、
一の試薬ホルダ部の前記電波通信部と、前記一の試薬ホルダ部と隣り合う他の試薬ホルダ部に配置される前記試薬容器の前記記憶媒体との間の電波による通信経路を遮断する電波遮断部とを備え、
前記配置部は、前記試薬容器の開口に向かって上方から進入することにより前記試薬容器内の試薬にアクセスする吸引管と、前記試薬容器の出し入れ口を開閉する上下動可能なカバーとを含み、
前記吸引管は、前記カバーが閉じられる動きに連動して、前記試薬容器内に進入するように構成されており、
前記電波通信部は、前記配置部に配置された前記試薬容器の、前記記憶媒体が設けられた前記側面に近接する位置に設けられており、
前記電波遮断部は、前記一の試薬ホルダ部と前記他の試薬ホルダ部とにそれぞれ設けられ、
前記一の試薬ホルダ部の前記電波通信部は、前記他の試薬ホルダ部の前記電波遮断部と前記試薬ホルダ部の並ぶ方向に対向するように構成されている、血球計数装置。
【請求項２】
前記配置部は、前記試薬容器の底面が傾斜するように前記試薬容器を保持するように構成されており、
前記吸引管は、その先端が、傾斜した前記底面の低位側に位置するように前記試薬容器に挿入される、請求項１に記載の血球計数装置。
【請求項３】
前記電波遮断部は、前記他の試薬ホルダ部の前記配置部に試薬容器が配置されたとき、前記一の試薬ホルダ部の前記電波通信部と、前記他の試薬ホルダ部の前記配置部に配置された試薬容器の前記記憶媒体との間に位置するように設けられている、請求項１または２に記載の血球計数装置。
【請求項４】
各々の前記試薬ホルダ部は、前記配置部に配置された試薬容器を取り囲む形状を有する導電性材料によって構成されており、
前記導電性材料が、前記電波遮断部を構成している、請求項１〜３のいずれか１項に記載の血球計数装置。
【請求項５】
前記導電性材料には、前記電波通信部に対応する位置に切り欠きが形成されている、請求項４に記載の血球計数装置。
【請求項６】
前記切り欠きを覆うように設けられ、その内部を電波が透過しうる電波透過材料により形成された保護部材をさらに備え、
前記電波通信部は、前記保護部材に取り付けられている、請求項５に記載の血球計数装置。
【請求項７】
複数の前記試薬ホルダ部は、所定方向に沿って一列に並んで配置されており、
各々の前記試薬ホルダ部は、前記所定方向に沿って順に前記電波通信部、前記配置部および前記電波遮断部を備える、請求項１〜６のいずれか１項に記載の血球計数装置。
【請求項８】
前記試薬ホルダ部は、前記配置部に配置された前記試薬容器の前記記憶媒体が、対応する前記電波通信部に向かい合って配置されるように前記試薬容器を案内する案内部を備える、請求項１〜７のいずれか１項に記載の血球計数装置。
【請求項９】
前記電波遮断部は、金属からなる、請求項１〜８のいずれか１項に記載の血球計数装置。
【請求項１０】
前記電波遮断部は、接地されている、請求項９に記載の血球計数装置。
【請求項１１】
前記試薬容器は、前記記憶媒体が設けられた一方側の側面および他方側の側面と、前方側および後方側の側面とを含み、
複数の前記試薬ホルダは、それぞれ隣接して配置されており、
各試薬ホルダは、前記配置部に対して前記試薬容器が前後方向に出し入れされる前記出し入れ口を有するとともに、前記配置部に配置された試薬容器の前記一方側の側面に近接する位置に前記電波通信部を有し、
前記電波遮断部は、各試薬ホルダの、前記配置部に配置された試薬容器の前記他方側の側面に近接する位置に配置されている、請求項１〜１０のいずれか１項に記載の血球計数装置。
【発明の詳細な説明】
【技術分野】
【０００１】
本発明は、検体分析装置に関し、特に、試薬容器に収容された試薬を用いて検体の分析を行う血球計数装置に関する。
【背景技術】
【０００２】
従来、試薬容器に収容された試薬を用いて検体の分析を行う検体分析装置が知られている（たとえば、特許文献１参照）。
【０００３】
上記特許文献１には、無線ＩＣタグ（記憶媒体）が貼付された試薬容器を同心円状に２列に配置する円筒状の試薬容器保持部を備えた自動分析装置が開示されている。この試薬容器保持部内の最内周部（内周壁）には、内周側の試薬容器の列に対応する１つの内側アンテナ部が設けられている。また、試薬容器保持部内の最外周部（外周壁）には、外周側の試薬容器の列に対応する１つの外側アンテナ部が設けられている。つまり、試薬容器保持部内には、半径方向に沿って、内側アンテナ部、内周側の試薬容器、外周側の試薬容器、外側アンテナ部の順で並ぶように構成されている。この自動分析装置では、内側アンテナ部を用いて内周側の試薬容器の無線ＩＣタグの情報の読み込みおよび書き込みを行い、外側アンテナ部を用いて外周側の試薬容器の無線ＩＣタグの情報の読み込みおよび書き込みを行うように構成されている。これにより、試薬容器保持部にセットされた試薬（試薬容器）についての、試薬情報の管理を行うことが可能である。
【先行技術文献】
【特許文献】
【０００４】
【特許文献１】特開２００９−２１０４４４号公報
【発明の概要】
【発明が解決しようとする課題】
【０００５】
一般的に、アンテナ部から発せられた電波は、アンテナ部の近傍だけでなくその周囲にも広がることから、特許文献１に記載のように複数の試薬容器と、試薬容器に対応した複数のアンテナ部を設け、対応するアンテナ部により特定の試薬容器の無線ＩＣタグと無線通信する構成においては、第１のアンテナ部から発せられた電波が、対象としている第１の試薬容器の無線ＩＣタグのみならず、本来対象としてしていない第２の試薬容器の無線ＩＣタグに及んでしまったり、また同様に、第２のアンテナ部から発せられた電波が、対象としている第２の試薬容器の無線ＩＣタグのみならず、本来対象としてしていない第１の試薬容器の無線ＩＣタグに及んでしまったりすることで、情報の読出書込が誤って行なわれる虞があった。
【０００６】
この発明は、上記のような課題を解決するためになされたものであり、この発明の１つの目的は、対象とした試薬容器以外の試薬容器の記憶媒体に対して誤って情報の読出書込が行われるのを防止することが可能な血球計数装置を提供することである。
【課題を解決するための手段および発明の効果】
【０００７】
上記目的を達成するために、この発明の一の局面における血球計数装置は、試薬容器に収容された染色試薬を用いて、検体である全血に含まれる血球を染色し、染色した血球を計数する血球計数装置であって、試薬容器は、開口が設けられた上面と、記憶媒体が設けられた側面とを含み、試薬容器が配置される配置部と、配置部に配置された試薬容器の記憶媒体に対して電波の送受信を行う電波通信部と、を含む試薬ホルダ部が複数並んで設けられた試薬収納部と、一の試薬ホルダ部の電波通信部と、一の試薬ホルダ部と隣り合う他の試薬ホルダ部に配置される試薬容器の記憶媒体との間の電波による通信経路を遮断する電波遮断部とを備え、配置部は、試薬容器の開口に向かって上方から進入することにより試薬容器内の試薬にアクセスする吸引管と、試薬容器の出し入れ口を開閉する上下動可能なカバーとを含み、吸引管は、カバーが閉じられる動きに連動して、試薬容器内に進入するように構成されており、電波通信部は、配置部に配置された試薬容器の、記憶媒体が設けられた側面に近接する位置に設けられており、電波遮断部は、一の試薬ホルダ部と他の試薬ホルダ部とにそれぞれ設けられ、一の試薬ホルダ部の電波通信部は、他の試薬ホルダ部の電波遮断部と試薬ホルダ部の並ぶ方向に対向するように構成されている。なお、本発明における「電波遮断部」は、電波を完全に遮断するもののみならず、電波を通信不可能な程度に減衰させるものも含む広い概念である。
【０００８】
この発明の一の局面による血球計数装置では、上記のように、一の試薬ホルダ部の電波通信部と、一の試薬ホルダ部と隣り合う他の試薬ホルダ部に配置される試薬容器の記憶媒体との間の電波による通信経路を遮断する電波遮断部を設けることによって、一の試薬ホルダ部の電波通信部から発せられた電波のうち、隣接する他の試薬ホルダ部に配置された試薬容器の記憶媒体に向かう電波を電波遮断部によって遮断することができる。この結果、各試薬ホルダ部において、自身の配置部に配置された試薬容器の記憶媒体に対して情報の読出書込を行いながら、隣接する他の試薬ホルダ部の試薬容器の記憶媒体への情報の読出書込を防止することができる。これにより、対象とした試薬容器以外の試薬容器の記憶媒体に対して誤って情報の読出書込が行われるのを防止することができる。
上記一の局面による血球計数装置において、好ましくは、配置部は、試薬容器の底面が傾斜するように試薬容器を保持するように構成されており、吸引管は、その先端が、傾斜した底面の低位側に位置するように試薬容器に挿入される。
【０００９】
上記一の局面による血球計数装置において、好ましくは、電波遮断部は、他の試薬ホルダ部の配置部に試薬容器が配置されたとき、一の試薬ホルダ部の電波通信部と、他の試薬ホルダ部の配置部に配置された試薬容器の記憶媒体との間に位置するように設けられている。このように構成すれば、一の試薬ホルダ部の電波通信部と、その試薬ホルダ部と隣り合う他の試薬ホルダ部に配置される試薬容器の記憶媒体との間の電波による通信経路を確実に遮断することができる。
【００１０】
上記一の局面による血球計数装置において、好ましくは、各々の試薬ホルダ部は、配置部に配置された試薬容器を取り囲む形状を有する導電性材料によって構成されており、導電性材料が、電波遮断部を構成している。このように構成すれば、配置部に配置された試薬容器を取り囲む形状を有する導電性材料によって構成された電波遮断部によって、他の試薬ホルダ部にセットされた対象外の試薬容器の記憶媒体への情報の読出書込をより確実に防止することができる。
【００１１】
この場合において、好ましくは、導電性材料には、電波通信部に対応する位置に切り欠きが形成されている。このように構成すれば、導電性材料（電波遮断部）に形成された切り欠きを介して、対象とする試薬容器の記憶媒体への情報の読出書込を確実に行うことができる。また、導電性材料（電波遮断部）にたとえば窓状の開口部を形成する場合には、電磁誘導などに起因して開口部の周囲のループ部分がアンテナのように働く結果、電波通信部と記憶媒体との通信を阻害する場合がある。本発明では、電波通信部に対応する位置に切り欠きを形成することによって、切り欠きの周囲（電波遮断部）に導電体のループが形成されるのを防止することができるので、切り欠きを介して電波通信部と記憶媒体との通信を良好に行うことができる。
【００１２】
上記導電性材料に切り欠きが形成される構成において、好ましくは、切り欠きを覆うように設けられ、その内部を電波が透過しうる電波透過材料により形成された保護部材をさらに備え、電波通信部は、保護部材に取り付けられている。このように構成すれば、切り欠きを覆うように設けられた保護部材によって、電波通信部と配置部に配置される試薬容器との間を仕切ることができる。これにより、試薬容器に収容された試薬の液滴が電波通信部に付着したり、試薬容器をセットする際に試薬容器が電波通信部に接触するのを防止することができる。また、保護部材を電波通信部の取付部材として兼用することができるので、電波通信部と保護部材とを別個に試薬ホルダ部に取り付ける構成と比較して、部品点数を削減することができる。
【００１３】
上記一の局面による血球計数装置において、好ましくは、複数の試薬ホルダ部は、所定方向に沿って一列に並んで配置されており、各々の試薬ホルダ部は、所定方向に沿って順に電波通信部、配置部および電波遮断部を備える。このように構成すれば、所定方向に沿って並ぶ複数の試薬ホルダ部の各々において、隣接する試薬ホルダ部のうちの一方の電波通信部と他方の配置部との間に必ず電波遮断部が配置される構成になる。これにより、複数の試薬ホルダ部を所定方向に近接させて配列する場合にも、他の試薬ホルダ部の配置部にセットされた試薬容器の記憶媒体への通信経路を遮断しながら、対象とする試薬容器の記憶媒体への情報の読出書込を確実に行うことができる。
【００１４】
上記一の局面による血球計数装置において、好ましくは、試薬ホルダ部は、配置部に配置された試薬容器の記憶媒体が、対応する電波通信部に向かい合って配置されるように試薬容器を案内する案内部を備える。このように構成すれば、案内部によって記憶媒体と電波通信部とを向かい合うように配置することができるので、対象とする試薬容器の記憶媒体と電波通信部との電波通信をより確実に行うことができる。
【００１５】
上記一の局面による血球計数装置において、好ましくは、電波遮断部は、金属からなる。このように構成すれば、電波通信部の電波を金属からなる電波遮断部で反射させることができるので、容易に、対象とした試薬容器以外の試薬容器の記憶媒体に対して誤って情報の読出書込が行われるのを防止することができる。
【００１６】
この場合において、好ましくは、電波遮断部は、接地されている。このように構成すれば、金属からなる電波遮断部自体がノイズ源となることを抑制することができるので、良好な電波遮断効果を得ることができる。
上記一の局面による血球計数装置において、好ましくは、試薬容器は、記憶媒体が設けられた一方側の側面および他方側の側面と、前方側および後方側の側面とを含み、複数の試薬ホルダは、それぞれ隣接して配置されており、各試薬ホルダは、配置部に対して試薬容器が前後方向に出し入れされる出し入れ口を有するとともに、配置部に配置された試薬容器の一方側の側面に近接する位置に電波通信部を有し、電波遮断部は、各試薬ホルダの、配置部に配置された試薬容器の他方側の側面に近接する位置に配置されている。
【図面の簡単な説明】
【００１７】
【図１】本発明の一実施形態による血液分析システムを示した斜視図である。
【図２】図１に示した一実施形態による第１測定ユニットおよび第２測定ユニットを備えた血液分析システムの構成を示した模式図である。
【図３】図２に示した一実施形態による第２測定ユニットの試薬収納部の構成を示した模式図である。
【図４】図３に示した一実施形態による第２測定ユニットの試薬収納部を示した斜視図である。
【図５】図４に示した試薬収納部のホルダ部に試薬容器が配置された状態を模式的に示した平面断面図である。
【図６】図４に示した試薬収納部のホルダ部を左側面部側から示した斜視図である。
【図７】図４に示した試薬収納部のホルダ部を右側面部側から示した斜視図である。
【図８】図６に示したホルダ部の保護部材を取り外した状態を示した斜視図である。
【図９】図４に示した試薬収納部のホルダ部の内部構成を模式的に示した縦断面図である。
【図１０】図９に示したホルダ部の縦断面図において試薬容器のセット状態を説明するための図である。
【図１１】本発明の一実施形態による第２測定ユニットの試薬収納部の参考例を示した模式図である。
【図１２】本発明の一実施形態による第２測定ユニットの試薬収納部の第１変形例を示した模式図である。
【図１３】本発明の一実施形態による第２測定ユニットの試薬収納部の第２変形例を示した模式図である。
【図１４】本発明の一実施形態による第２測定ユニットの試薬収納部の第３変形例を示した模式図である。
【発明を実施するための形態】
【００１８】
以下、本発明の実施形態を図面に基づいて説明する。
【００１９】
まず、図１〜図１０を参照して、本発明の一実施形態による血液分析システム１の全体構成について説明する。なお、本実施形態では、検体分析装置の一例である血液分析システムの測定ユニットに本発明を適用した場合について説明する。
【００２０】
本実施形態による血液分析システム１は、図１に示すように、Ｘ２方向側に配置された第１測定ユニット３およびＸ１方向側に配置された第２測定ユニット２の２つの測定ユニットと、第１測定ユニット３および第２測定ユニット２の前面側（Ｙ２方向側）に配置された検体搬送装置（サンプラ）４と、第１測定ユニット３、第２測定ユニット２および検体搬送装置４に電気的に接続された制御装置５とを備えている。また、血液分析システム１は、制御装置５によりホストコンピュータ６（図２参照）に接続されている。
【００２１】
また、図１および図２に示すように、第１測定ユニット３および第２測定ユニット２は、実質的に同種類の測定ユニットであり、互いに隣接して配置されている。具体的には、本実施形態では、第２測定ユニット２は、第１測定ユニット３と同じ測定原理を使用して、同一の測定項目について検体を測定する。さらに、第２測定ユニット２は、第１測定ユニット３が分析しない測定項目についても測定する。また、図２に示すように、第２測定ユニット２および第１測定ユニット３は、それぞれ、検体である血液をサンプル容器１００から吸引する検体吸引部２１および３１と、検体吸引部２１および３１により吸引した血液から検出用試料を調製する試料調製部２２および３２と、試料調製部２２および３２により調製された検出用試料から血液の血球を検出する検出部２３および３３とを含んでいる。
【００２２】
また、第２測定ユニット２および第１測定ユニット３は、図２に示すように、それぞれ、検体吸引部２１および３１や試料調製部２２および３２などを内部に収容するユニットカバー２４および３４と、サンプル容器１００をユニットカバー２４および３４の内部に取り込み、検体吸引部２１および３１による吸引位置６００および７００までサンプル容器１００を搬送するサンプル容器搬送部２５および３５とをさらに含んでいる。なお、上記のように第１測定ユニット３および第２測定ユニット２は、実質的に同種類の測定ユニットであるので、以下では第２測定ユニット２について説明し、第１測定ユニット３についてはその説明を省略する。
【００２３】
検体吸引部２１は、分析対象の検体（血液）を収容するサンプル容器１００からピアサ２１ａにより検体を吸引して定量するように構成されている。また、検体吸引部２１は、定量した所定量の検体を試料調製部２２に供給する機能を有する。
【００２４】
試料調製部２２は、検体吸引部２１から供給された検体と後述する試薬容器９０に収容された所定量の試薬とを混合させるように構成されている。試料調製部２２では測定項目に応じた複数種類の試薬（染色液など）が用いられ、検体と試薬との混合および反応過程を経て各種測定項目に応じた複数種類の検査用試料が調製される。そして、調製された検査用試料は、検出部２３へと供給されるように構成されている。
【００２５】
検出部２３は、試料調製部２２から供給された検査用試料に対して、ＲＢＣ検出（赤血球の検出）およびＰＬＴ検出（血小板の検出）をシースフローＤＣ検出法により行うとともに、ＨＧＢ検出（血液中の血色素の検出）をＳＬＳ−ヘモグロビン法により行う機能を有する。また、検出部２３は、ＷＢＣ検出（白血球の検出）を半導体レーザを使用したフローサイトメトリー法により行う機能を有する。また、検出部２３で得られた検出結果は、検体の測定データ（測定結果）として、制御装置５に送信される。
【００２６】
サンプル容器搬送部２５は、検体搬送装置４により所定の取込位置４３ｂにサンプル容器１００が搬送されると、サンプル容器１００を第２測定ユニット２の内部に取り込み、吸引位置６００まで搬送する可能なように構成されている。
【００２７】
また、図１および図２に示すように、検体搬送装置４は、測定が行われる前の検体を収容するサンプル容器１００を保持する複数のラック１０１が配置される測定前ラック保持部４１と、測定が行われた後の検体を収容するサンプル容器１００を保持する複数のラック１０１が配置される測定後ラック保持部４２と、ラック１０１を矢印Ｘ１およびＸ２方向に水平に直線移動するラック搬送部４３とを含んでいる。
【００２８】
図２に示すように、測定前ラック保持部４１は、測定前ラック保持部４１に配置されたラック１０１をＹ１方向に移動させ、１つずつラック搬送部４３上に押し出すように構成されている。
【００２９】
ラック搬送部４３は、ラック１０１を搬送することにより、ラックに保持された所定のサンプル容器１００を、第１測定ユニット３が検体を取り込む取込位置４３ａ、および、第２測定ユニット２が検体を取り込む取込位置４３ｂに配置するように構成されている。また、ラック搬送部４３は、測定が行われた後の検体を収容するサンプル容器１００を保持するラック１０１を、測定後ラック保持部４２に搬送する機能を有する。
【００３０】
制御装置５は、図１および図２に示すように、パーソナルコンピュータ（ＰＣ）などからなり、ＣＰＵ、ＲＯＭ、ＲＡＭなどからなる制御部５１（図２参照）と、表示部５２と、入力デバイス５３とから主として構成されている。制御部５１によって、第１測定ユニット３、第２測定ユニット２および検体搬送装置４の各部の動作が制御されるように構成されている。また、制御部５１は、第１測定ユニット３および第２測定ユニット２から送信された測定結果を用いて分析対象の成分を解析するとともに、分析結果（赤血球数、血小板数、ヘモグロビン量、白血球数など）を取得するように構成されている。表示部５２は、第１測定ユニット３および第２測定ユニット２から送信されたデジタル信号のデータを分析して得られた分析結果などを表示するために設けられている。
【００３１】
図３に示すように、第２測定ユニット２は、ユニットカバー２４（図１参照）の内部に設けられ、所定量の試薬を収容した複数の試薬容器９０を保持する試薬収納部２２ａと、試薬容器９０に付されたＲＦＩＤ（Ｒａｄｉｏ  Ｆｒｅｑｕｅｎｃｙ  Ｉｄｅｎｔｉｆｉｃａｔｉｏｎ）タグ９１の読出書込を行うリーダライタモジュール２２ｂとを含んでいる。なお、図１に示すように、ユニットカバー２４の前面側には、開閉可能な前面カバー２４ａが設けられている。試薬収納部２２ａは、第２測定ユニット２の前面上部に配置されており、前面カバー２４ａを開放することにより、外部に露出して試薬を交換することが可能となる。
【００３２】
図４に示すように、試薬収納部２２ａは、幅方向（Ｘ方向）に沿って直線状に並んで配列された５つのホルダ部６０（６０ａ〜６０ｅ）を含む。各ホルダ部６０（６０ａ〜６０ｅ）にそれぞれ１つの試薬容器９０が着脱可能にセットされ、試薬収納部２２ａは、合計５つ（５種類）の試薬容器９０を保持するように構成されている。試薬収納部２２ａに保持される試薬容器９０は、検出部２３により複数の測定項目を測定するための、それぞれ異なる種類の試薬を収容している。
【００３３】
なお、図５に示すように、試薬容器９０は、幅の小さい先端部を有し、先端部の上端（上面）に開口が形成された進入部９２が形成されている。進入部９２はアルミ箔などからなるシール材９３により封止されている。また、試薬容器９０には、先端部の片側側面にシート状のＲＦＩＤタグ９１が貼付されている。ＲＦＩＤタグ９１は、情報の書き込みおよび読み出しが可能な記憶回路とアンテナ回路とから構成されている。
【００３４】
５つのホルダ部６０（６０ａ〜６０ｅ）は、それぞれ同様の構成を有する。図６〜図８に示すように、ホルダ部６０は、金属製のシャーシ６１と、試薬容器９０を配置するための配置部６２と、シャーシ６１の内部を開閉するためのカバー６３と、試薬容器９０内の試薬を吸引するピアサ６４（図８参照）と、ピアサ昇降機構６５とを含んでいる。
【００３５】
また、本実施形態では、図６に示すように、ホルダ部６０には、リーダライタモジュール２２ｂと電気信号の送受信が可能に接続されたアンテナ部６６が設けられている。アンテナ部６６は、試薬容器９０のＲＦＩＤタグ９１に対して電波の送受信を行う。そして、ホルダ部６０のアンテナ部６６と試薬容器９０のＲＦＩＤタグ９１（図５参照）とが電波を用いた非接触の近距離無線通信を行うことにより、試薬情報の読み出しおよび書き込みが行われるように構成されている。ＲＦＩＤタグ９１には、たとえば試薬容器９０に収容される試薬の種類、ロット番号および使用期限などの試薬情報が記録される。試薬情報は、制御装置５（図１参照）によりリーダライタモジュール２２ｂを用いて読出書込され、試薬の管理に用いられる。
【００３６】
アンテナ部６６は、コネクタ部６６１を介してリーダライタモジュール２２ｂと接続されている。アンテナ部６６は、リーダライタモジュール２２ｂ（図３参照）からの信号に応じて、周囲のＲＦＩＤタグ９１に制御信号を含む電波を送信するとともに、制御信号に応じた処理結果情報を含む電波をＲＦＩＤタグ９１から受信する機能を有する。
【００３７】
具体的には、情報の書き込みを行う場合は、リーダライタモジュール２２ｂが、ＲＦＩＤタグ９１に書き込むべき情報を電気信号に変換してアンテナ部６６に送る。アンテナ部６６は、リーダライタモジュール２２ｂからの電気信号を電波に変換し、変換した電波をＲＦＩＤタグ９１に対して送信する。ＲＦＩＤタグ９１は、送信された電波によって電力を誘起し、この電力を用いて、送信された電波に含まれる情報を記憶回路に記憶する。これにより、ＲＦＩＤタグ９１への情報の書き込みが行われる。また、情報の読み出しを行う場合は、アンテナ部６６が、ＲＦＩＤタグ９１に対して電波を送信することで電力を誘起させる。ＲＦＩＤタグ９１は、この電力を用いて記憶回路に記憶されている情報を取り出し、アンテナ回路を介して電波によってアンテナ部６６に送信する。アンテナ部６６は、受信した電波を電気信号に変換してリーダライタモジュール２２ｂに送る。これにより、ＲＦＩＤタグ９１からの情報の読み出しが行われる。
【００３８】
アンテナ部６６の通信距離は、使用する電波の周波数帯などにより異なり、本実施形態では、数ｃｍ程度である。また、図５に示すように、アンテナ部６６と配置部６２に配置された状態での試薬容器９０のＲＦＩＤタグ９１との距離Ｄは、約１ｃｍである。
【００３９】
図５〜図７に示すように、シャーシ６１は、Ｘ１方向側の左側面部７０とＸ２方向側の右側面部８０とを有する。シャーシ６１（左側面部７０および右側面部８０）は金属製の板部材により形成されている。本実施形態では、シャーシ６１はステンレス鋼（ＳＵＳ４３０）からなる。シャーシ６１の左側面部７０および右側面部８０には、それぞれ案内部７１および８１が一体的に形成されている。なお、ユニットカバー２４の内部には、第２測定ユニット２に含まれる各構成部品を保持する金属製のフレーム（図示せず）が設けられている。シャーシ６１は、このフレームに固定されるとともに、このフレームを介して接地されている。
【００４０】
ここで、図５および図８に示すように、左側面部７０には、左側面部７０の奥側下部の所定部位を略Ｕ字状に切り欠くことにより切欠部７２が設けられている。図５に示すように、切欠部７２は、試薬容器９０が配置部６２にセットされた状態（後述するセット位置に配置された状態）で、左側面部７０側から試薬容器９０のＲＦＩＤタグ９１がシャーシ６１から露出するように設けられている。このため、切欠部７２は、試薬容器９０が配置部６２にセットされた状態におけるＲＦＩＤタグ９１と対向する位置に形成され、切欠部７２の大きさ（切り欠き面積）がＲＦＩＤタグ９１の大きさ（平面積）よりも大きくなるように形成されている。すなわち、切欠部７２は、幅Ｗ２（図５参照）および高さＨ２（図８参照）を有し、幅Ｗ２および高さＨ２は、それぞれ、ＲＦＩＤタグ９１の幅Ｗ１（図５参照）および高さＨ１（長辺の長さ、図１０参照）よりも大きい。切欠部７２は、アンテナ部６６と配置部６２との間の電波を透過させるために設けられている。
【００４１】
また、図５および図６に示すように、シャーシ６１の左側面部７０には、切欠部７２を覆うように、保護部材６７が設けられている。保護部材６７は、電波を透過する樹脂材料により形成されている。本実施形態では、保護部材６７はポリアセタール製の板状部材からなる。保護部材６７は、ネジ穴７３（図８参照）に螺合する樹脂製のネジ部材６８を用いて左側面部７０に固定されている。本実施形態では、この保護部材６７の切欠部７２とは反対側（Ｘ１方向側）表面に、アンテナ部６６が取り付けられている。これにより、アンテナ部６６は、電波を透過する保護部材６７と、左側面部７０の切欠部７２とを介して、配置部６２に配置された試薬容器９０のＲＦＩＤタグ９１と通信を行うように構成されている。
【００４２】
図５に示すように、案内部７１および８１は、配置部６２を挟んでＸ方向に対向するように設けられている。また、案内部７１および８１は、それぞれ、配置部６２にセットされる試薬容器９０の先端先細の外形形状に対応した屈曲形状を有する。これにより、試薬容器９０は、進入部９２の設けられた先端側からのみ、配置部６２に挿入可能である。案内部７１および８１は、試薬容器９０が配置部６２にセットされたときに、試薬容器９０のＲＦＩＤタグ９１がアンテナ部６６とちょうど対向する位置および向きに配置されるように、試薬容器９０の両側面を両側から案内する。また、図１０に示すように、案内部７１および８１は、試薬容器９０の最大高さ（先端部の底面から上端面までの長さ）Ｈ３と略等しい高さＨ４を有する。このため、試薬容器９０が配置部６２にセットされたときには、案内部７１および８１は、それぞれ、試薬容器９０の側面の全体を覆うように配置される。
【００４３】
図５に示すように、本実施形態では、所定方向（Ｘ方向）に沿って並ぶ５つホルダ部６０（６０ａ〜６０ｅ）の各々は、試薬容器９０が配置部６２に配置された場合のＲＦＩＤタグ９１に対して、左側（Ｘ１方向側）に切欠部７２を介してアンテナ部６６が配置されるとともに、右側（Ｘ２方向側）にシャーシ６１の右側面部８０が配置されるように構成されている。上記の通り、アンテナ部６６は、ＲＦＩＤタグ９１との通信を行うために周囲に電波を発信する。各ホルダ部６０（６０ａ〜６０ｅ）のアンテナ部６６が、それぞれ、各ホルダ部６０（６０ａ〜６０ｅ）にセットされた試薬容器９０のＲＦＩＤタグ９１との通信を適切に行うためには、隣り合うホルダ部にセットされた試薬容器９０のＲＦＩＤタグ９１との通信を確実に遮断する必要がある。そこで、本実施形態では、シャーシ６１の左側面部７０および右側面部８０が、アンテナ部６６から発生する電波を遮断する電波遮断部として機能するように構成されている。すなわち、金属からなる左側面部７０および右側面部８０によって、アンテナ部６６から発生する不要な電波が反射されるように構成されている。
【００４４】
また、試薬容器９０が配置部６２にセットされた状態では、試薬容器９０が後端部（Ｙ２方向端部）を除いて左側面部７０（および案内部７１）と、右側面部８０（および案内部８１）とによって取り囲まれるように構成されている。そして、左側面部７０および右側面部８０に一体的に設けられた案内部７１および８１が、電波遮断部を兼用するように構成されている。
【００４５】
本実施形態では、５つのホルダ部６０（６０ａ〜６０ｅ）の各アンテナ部６６は、配置部６２に対向して配置された対応する試薬容器９０のＲＦＩＤタグ９１のみに対して通信（情報の読み出しおよび書き込み）可能である。一方、ホルダ部６０（６０ａ〜６０ｅ）の各アンテナ部６６は、隣り合う他のホルダ部６０にセットされた試薬容器９０のＲＦＩＤタグ９１との間の通信経路が右側面部８０により遮断され、他のホルダ部６０の試薬容器９０のＲＦＩＤタグ９１とは通信不可能となっている。このアンテナ部６６とＲＦＩＤタグ９１との通信経路については、後に詳細に説明する。
【００４６】
図５〜図８に示すように、配置部６２は、シャーシ６１の下部に設けられている。配置部６２は、平面的に見て、試薬容器９０に対応する形状を有し、試薬容器９０を設置可能に構成されている。また、図９および図１０に示すように、配置部６２には、配置部６２の最奥部から上方に延びるように係止部６２１が設けられている。係止部６２１は、試薬容器９０がセットされる際に試薬容器９０の先端部分と当接して、試薬容器９０を配置部６２上の所定位置に配置させる機能を有する。また、配置部６２は、回動軸部６２２とバネ部材６２３とを含む。配置部６２は、バネ部材６２３の付勢力により、カバー６３の開閉（昇降）に連動して回動軸部６２２周りに回動するように構成されている。これにより、配置部６２は、カバー６３を空けた状態で配置部６２の上面（試薬容器９０の設置面）が略水平となる載置位置Ｐ１（図９参照）と、カバー６３を閉じた状態で配置部６２に設置された試薬容器９０の進入部９２を介してピアサ６４が試薬容器９０の内部に進入可能となるセット位置Ｑ１（図１０参照）とに回動可能である。このセット位置Ｑ１において、配置部６２に配置された試薬容器９０の上面が略水平となり、試薬容器９０のＲＦＩＤタグ９１がアンテナ部６６と対向する位置（図５参照）に配置されるように構成されている。
【００４７】
カバー６３は、図６および図７に示すように、ホルダ部６０（シャーシ６１）の各々から手前側（矢印Ｙ２方向側）に配置され、ピアサ昇降機構６５に取り付けられている。このピアサ昇降機構６５により、カバー６３は、配置部６２を開放する上昇位置Ｐ２（図９参照）と、配置部６２を覆う（閉鎖する）下降位置Ｑ２（図１０参照）とに移動可能に構成されている。
【００４８】
ピアサ６４は、上下に延びる管状部材である。図９に示すように、ピアサ６４は、配置部６２の最奥部（矢印Ｙ２方向側）の上方位置に配置され、ピアサ６４を保持するピアサ昇降機構６５により鉛直方向（Ｚ方向）に移動されるように構成されている。また、ピアサ６４は、試薬容器９０のシール材９３を貫通（穿刺）可能なように鋭利な先端形状を有する。これにより、ピアサ６４は、配置部６２の奥側に挿入された試薬容器９０の先端部の上端の進入部９２を介して試薬容器９０内部に進入可能となっている。この結果、ピアサ６４は試薬容器９０内部の試薬を吸引可能となっている。ピアサ６４を介して吸引された試薬は、試料調製部２２で検体と混合される。
【００４９】
ピアサ昇降機構６５は、ピアサ６４とカバー６３とを保持するように構成されている。また、ピアサ昇降機構６５は、シャーシ６１の右側面部８０に設けられた移動溝８２に鉛直方向（Ｚ方向）移動可能に係合している。これにより、ピアサ昇降機構６５は、カバー６３の開閉（昇降移動）に連動してピアサ６４を鉛直方向（Ｚ方向）に一体的に移動させるように構成されている。そして、図９に示すように、カバー６３が上昇位置Ｐ２に配置された状態では、ピアサ６４は配置部６２の上方（試薬容器９０の上方）の上昇位置Ｐ３に配置される。図１０に示すように、カバー６３が下降位置Ｑ２に配置された状態では、ピアサ６４は先端が試薬容器９０の進入部９２直下の内底部に近接する下降位置Ｑ３に配置されるように構成されている。
【００５０】
次に、図３および図５を参照して、アンテナ部６６とＲＦＩＤタグ９１との通信経路について説明する。なお、ここでは、ホルダ部６０の各部を各ホルダ部６０ａ〜６０ｅ毎に対応させて、配置部６２ａ〜６２ｅ、アンテナ部６６ａ〜６６ｅ、保護部材６７ａ〜６７ｅ、左側面部７０ａ〜７０ｅ、切欠部７２ａ〜７２ｅ、右側面部８０ａ〜８０ｅ、試薬容器９０ａ〜９０ｅ、およびＲＦＩＤタグ９１ａ〜９１ｅとして説明する。
【００５１】
図３に示すように、たとえば中央のホルダ部６０ｃに着目すると、ホルダ部６０ｃのアンテナ部６６ｃは、ホルダ部６０ｃにセットされた試薬容器９０ｃのＲＦＩＤタグ９１ｃと保護部材６７ｃおよび切欠部７２ｃを介した通信経路Ｃ１で通信（情報の読み出しおよび書き込み）可能である。
【００５２】
一方、ホルダ部６０ｃに対してＸ１方向に隣接するホルダ部６０ｂにセットされた試薬容器９０ｂのＲＦＩＤタグ９１ｂと、ホルダ部６０ｃのアンテナ部６６ｃとの間の位置には、ホルダ部６０ｂの電波遮断部としての右側面部８０ｂが配置されている。このため、ホルダ部６０ｃのアンテナ部６６ｃと、隣接するホルダ部６０ｂの試薬容器９０ｂのＲＦＩＤタグ９１ｂとの間の通信経路Ｃ２は、ホルダ部６０ｂの右側面部８０ｂによって遮断（反射）される。
【００５３】
また、ホルダ部６０ｃに対してＸ２方向に隣接するホルダ部６０ｄの試薬容器９０ｄのＲＦＩＤタグ９１ｄと、ホルダ部６０ｃのアンテナ部６６ｃとの間の通信経路Ｃ３は、ホルダ部６０ｃ自体の右側面部８０ｃ（および案内部８１、図５参照）によって遮断される。この結果、ホルダ部６０ｃのアンテナ部６６ｃは、ホルダ部６０ｃの配置部６２ｃに配置された対応する試薬容器９０ｃのＲＦＩＤタグ９１ｃに対してのみ、通信可能となる。なお、アンテナ部６６ｃの電波は図示した通信経路Ｃ１〜Ｃ３以外の方向にも拡がる。本実施形態では、各ホルダ部６０ａ〜６０ｅにおいて、試薬容器９０ａ〜９０ｅの各々を取り囲むように左側面部７０ａ〜７０ｅ（案内部７１、図５参照）および右側面部８０ａ〜８０ｅ（案内部８１、図５参照）が設けられているため、アンテナ部６６ｃから他のＲＦＩＤタグ９０ａ、９０ｂ、９０ｄおよび９０ｅへの電波（通信経路）をより確実に遮断することが可能となる。
【００５４】
このように、ホルダ部６０ａ〜６０ｅの各アンテナ部６６ａ〜６６ｅは、それぞれの配置部６２ａ〜６２ｅに配置された対応する試薬容器９０ａ〜９０ｅのＲＦＩＤタグ９１ａ〜９１ｅに対する通信経路Ａ１〜Ｅ１でのみ、通信（情報の読み出しおよび書き込み）可能である。なお、Ｘ１方向端部に配置されたホルダ部６０ａのＸ１方向側には電波遮断部が存在しないことになるが、隣接するホルダ部が存在しないので、他のホルダ部の試薬容器のＲＦＩＤタグとの通信を行うおそれはない。
【００５５】
次に、図１、図３、図５、図９および図１０を参照して、本実施形態による第１測定ユニット３および第２測定ユニット２の試薬収納部２２ａ（ホルダ部６０）への試薬容器９０のセット動作について説明する。なお、ホルダ部６０ａ〜６０ｅへの試薬容器９０（９０ａ〜９０ｅ）のセット動作は共通であるので、ホルダ部６０ａ〜６０ｅ毎の説明は省略する。
【００５６】
まず、使用者は、前面カバー２４ａ（図１参照）を開放し、カバー６３を上昇位置Ｐ２（図９参照）に配置して、配置部６２を開放する。このとき、図９に示すように、カバー６３が上昇するのに連動して、配置部６２は試薬容器９０の設置面が水平となる載置位置Ｐ１に配置される。ピアサ６４は、カバー６３が上昇位置Ｐ２に配置されるのに伴い、配置部６２の上方の上昇位置Ｐ３に配置される。
【００５７】
次に、使用者は、試薬容器９０を配置部６２に載置する。このとき、使用者は、試薬容器９０の先端部側から配置部６２の奥側（Ｙ１方向）に向かって試薬容器９０を進入させる。この際、試薬容器９０の形状に対応する形状を有する一対の案内部７１および８１（図５参照）に沿って試薬容器９０の両側面全体がガイドされながら、試薬容器９０が配置部６２の係止部６２１と当接する所定位置まで挿入される。
【００５８】
次に、使用者は、カバー６３を上昇位置Ｐ２から下降位置Ｑ２（図１０参照）に移動（下降）させて、配置部６２を閉じる。このとき、カバー６３が下降するのに連動して、配置部６２がセット位置Ｑ１に回動する。この結果、試薬容器９０のＲＦＩＤタグ９１がアンテナ部６６と対向する位置に配置される。
【００５９】
試薬容器９０のＲＦＩＤタグ９１がアンテナ部６６と対向する位置に配置されると、制御装置５（図１参照）により、ＲＦＩＤタグ９１に記憶された試薬情報の読み出しや、新たな情報の書き込みがリーダライタモジュール２２ｂ（図３参照）を介して行われる。この際、アンテナ部６６とＲＦＩＤタグ９１とが近距離無線通信により通信を行う。
【００６０】
また、カバー６３の下降に伴いピアサ６４も下降するため、ピアサ６４は、試薬容器９０の進入部９２を封止するシール材９３を貫通するとともに進入部９２を介して試薬容器９０内部に進入する。使用者によりカバー６３が下降位置Ｑ２に配置されたとき、ピアサ６４が試薬容器９０内の底部近傍の下降位置Ｑ３に配置される。これにより、ピアサ６４を介して試薬容器９０内の試薬を吸引することが可能となる。
【００６１】
以上により、試薬収納部２２ａ（ホルダ部６０）への試薬容器９０のセット動作が終了する。
【００６２】
本実施形態では、上記のように、一のホルダ部６０（たとえば、６０ｃ）のアンテナ部６６（６６ｃ）と、一のホルダ部６０（６０ｃ）と隣り合う他のホルダ部６０（６０ｂおよび６０ｄ）に配置される試薬容器９０（９０ｂおよび９０ｄ）のＲＦＩＤタグ９１（９１ｂおよび９１ｄ）との間の電波による通信経路を遮断する右側面部８０（８０ｂおよび８０ｃ）を設けることによって、一のホルダ部６０ｃのアンテナ部６６ｃから発せられた電波のうち、隣接する他のホルダ部６０ｂおよび６０ｄに配置された試薬容器９０ｂおよび９０ｄのＲＦＩＤタグ９１ｂおよび９１ｄに向かう電波を右側面部８０ｂおよび８０ｃによって遮断することができる。この結果、各ホルダ部６０において、自身の配置部６２に配置された試薬容器９０のＲＦＩＤタグ９１に対して情報の読出書込を行いながら、隣接する他のホルダ部の試薬容器９０のＲＦＩＤタグ９１への情報の読出書込を防止することができる。これにより、対象とした試薬容器９０以外の試薬容器９０のＲＦＩＤタグ９１に対して誤って情報の読出書込が行われるのを防止することができる。
【００６３】
また、本実施形態では、上記のように、一のホルダ部６０（たとえば、６０ｃ）のアンテナ部６６（６６ｃ）と、隣接する他のホルダ部６０（６０ｂおよび６０ｄ）の配置部６２（６２ｂおよび６２ｄ）に配置された試薬容器９０（９０ｂおよび９０ｄ）のＲＦＩＤタグ９１（９１ｂおよび９１ｄ）との間の位置に右側面部８０（８０ｂおよび８０ｃ）が設けられている。このように構成すれば、一のホルダ部６０（６０ｃ）のアンテナ部６６（６６ｃ）と、その一のホルダ部６０（６０ｃ）と隣り合う他のホルダ部６０（６０ｂおよび６０ｄ）に配置される試薬容器９０（９０ｂおよび９０ｄ）のＲＦＩＤタグ９１（９１ｂおよび９１ｄ）との間の電波による通信経路（図３のＣ２およびＣ３）を確実に遮断することができる。
【００６４】
また、本実施形態では、上記のように、、各ホルダ部６０は、配置部６２に配置された試薬容器９０を取り囲むように設けられた導電性材料（ステンレス鋼）からなり、導電性材料が、左側面部７０および右側面部８０を構成している。このように構成すれば、配置部６２に配置された試薬容器９０を取り囲む形状を有する導電性材料によって構成された左側面部７０および右側面部８０によって、他のホルダ部６０にセットされた対象外の試薬容器９０のＲＦＩＤタグ９１への情報の読出書込をより確実に防止することができる。
【００６５】
また、本実施形態では、上記のように、導電性材料からなる各ホルダ部６０の左側面部７０には、アンテナ部６６に対応する位置に切欠部７２が形成されている。このように構成すれば、導電性材料（左側面部７０）に形成された切欠部７２を介して、対象とする試薬容器９０のＲＦＩＤタグ９１への情報の読出書込を確実に行うことができる。
【００６６】
また、導電性材料からなる左側面部７０にたとえば窓状の開口部を形成した場合には、開口部の周囲に導電体（金属）のループが形成されてしまうため、電磁誘導などに起因して開口部の周囲のループ部分がアンテナのように働く結果、アンテナ部６６とＲＦＩＤタグ９１との通信を阻害する場合がある。これに対して、本実施形態では、アンテナ部６６に対応する位置に切欠部７２を形成することによって、切欠部７２の周囲（左側面部７０）に導電体（金属）のループが形成されるのを防止することができるので、切欠部７２を介してアンテナ部６６とＲＦＩＤタグ９１との通信を良好に行うことができる。
【００６７】
また、本実施形態では、上記のように、保護部材６７が、切欠部７２を覆うように設けられ、内部を電波が透過しうる電波透過材料により形成されている。このように構成すれば、切欠部７２を覆うように設けられた保護部材６７によって、アンテナ部６６と配置部６２に配置される試薬容器９０との間を仕切ることができる。これにより、試薬容器９０に収容された試薬の液滴が切欠部７２を介してアンテナ部６６に付着したり、試薬容器９０をセットする際に試薬容器９０が切欠部７２を介してアンテナ部６６に接触するのを防止することができる。また、保護部材６７をアンテナ部６６の取付部材として兼用することができるので、アンテナ部６６と保護部材６７とを別個にホルダ部６０に取り付ける構成と比較して、部品点数を削減することができる。
【００６８】
また、本実施形態では、上記のように、５つのホルダ部６０（６０ａ〜６０ｅ）は、それぞれ電波遮断部としての左側面部７０および右側面部８０を含む。また、各ホルダ部６０のアンテナ部６６と右側面部８０とは、試薬容器９０が配置部６２に配置された場合のＲＦＩＤタグ９１を挟んで対向するように配置されている。このように構成すれば、各ホルダ部６０の各々に左側面部７０および右側面部８０を設けることによって、ホルダ部６０にアンテナ部６６と、配置部６２と、電波遮断部としての左側面部７０および右側面部８０とを設けた構成をユニット化することができる。これにより、各ホルダ部６０と左側面部７０および右側面部８０（電波遮断部）とを別個に設ける場合と比較して、複数のホルダ部６０を設ける場合の装置構成を簡素化することができる。
【００６９】
また、本実施形態では、上記のように、５つのホルダ部６０ａ〜６０ｅは、それぞれ所定方向（Ｘ方向）に並んで配置されている。また、５つのホルダ部６０ａ〜６０ｅの各々には、所定方向に沿って左側（Ｘ１方向側）から順に、アンテナ部６６、配置部６２および右側面部８０が配置されている。このように構成すれば、Ｘ方向に沿って並ぶ複数のホルダ部６０ａ〜６０ｅの各々において、隣接するホルダ部６０のうちの一方のアンテナ部６６と他方の配置部６２との間に必ず右側面部８０が配置される構成になる。これにより、５つのホルダ部６０ａ〜６０ｅをＸ方向に近接させて配列する場合にも、他のホルダ部６０の配置部６２にセットされた試薬容器９０のＲＦＩＤタグ９１への通信経路を遮断しながら、対象とする試薬容器９０（各ホルダ部６０ａ〜６０ｅの各々にセットされた各試薬容器９０ａ〜９０ｅ）のＲＦＩＤタグ９１（９１ａ〜９１ｅ）への情報の読出書込を確実に行うことができる。
【００７０】
また、本実施形態では、上記のように、各ホルダ部６０は、配置部６２に配置された試薬容器９０のＲＦＩＤタグ９１が、対応するアンテナ部６６に向かい合って配置されるように試薬容器９０を案内する案内部７１および８１を備える。このように構成すれば、案内部７１および８１によってＲＦＩＤタグ９１とアンテナ部６６とを向かい合うように配置することができるので、対象とする試薬容器９０のＲＦＩＤタグ９１とアンテナ部６６との電波通信をより確実に行うことができる。
【００７１】
また、本実施形態では、上記のように、案内部７１および８１は、電波遮断部を兼用している。このように構成すれば、試薬容器９０を案内する案内部７１および８１自体を電波遮断部として機能させることができるので、案内部７１および８１と電波遮断部とを別個に設ける場合と比較して、部品点数を削減することができる。
【００７２】
また、本実施形態では、上記のように、左側面部７０（案内部７１）および右側面部８０（案内部８１）は、金属からなる。このように構成すれば、アンテナ部６６の電波を金属からなる左側面部７０（案内部７１）および右側面部８０（案内部８１）で反射させることができるので、容易に、対象とした試薬容器９０以外の試薬容器９０のＲＦＩＤタグ９１に対して誤って情報の読出書込が行われるのを防止することができる。
【００７３】
また、本実施形態では、上記のように、左側面部７０および右側面部８０を含むシャーシ６１は、接地されている。このように構成すれば、金属からなる左側面部７０および右側面部８０（シャーシ６１）自体がノイズ源となることを抑制することができるので、良好な電波遮断効果を得ることができる。
【００７４】
（参考例）
上記実施形態では、各ホルダ部６０（６０ａ〜６０ｅ）のアンテナ部６６と、各ホルダ部６０（６０ａ〜６０ｅ）にセットされた試薬容器９０のＲＦＩＤタグ９１がＸ方向に直線状に並ぶように構成した例を示したが、図１１に示す参考例では、各ホルダ部のアンテナ部と、ＲＦＩＤタグとをＸ方向に直線状に並べない。
【００７５】
図１１に示すように、参考例による試薬収納部１２２ａでは、各ホルダ部１６０（１６０ａおよび１６０ｂ）のアンテナ部１６６が、配置部１６２の奥側（Ｙ１方向側）に配置されている。また、ＲＦＩＤタグ１９１は、試薬容器１９０の前面（先端部分）に貼付されている。アンテナ部１６６と配置部１６２に配置された試薬容器１９０のＲＦＩＤタグ１９１とは、前後方向（Ｙ方向）に対向するように構成されている。
【００７６】
ホルダ部１６０（１６０ａおよび１６０ｂ）のシャーシ１６１は、左側面部１６１ａ、右側面部１６１ｂおよび奥側部１６１ｃからなり、配置部１６２の後部（Ｙ２方向側）を除いて配置部１６２（試薬容器１９０）を取り囲むように設けられている。配置部１６２の奥側（Ｙ１方向側）の奥側部１６１ｃには、切欠部１６１ｄが形成されている。
【００７７】
このため、Ｘ１方向側のホルダ部１６０ａのアンテナ部１６６は、ホルダ部１６０ａにセットされた試薬容器１９０のＲＦＩＤタグ１９１と切欠部１６１ｄを介したＹ方向の通信経路Ａ１１で通信可能である。一方、Ｘ２方向に隣接するホルダ部１６０ｂの試薬容器１９０のＲＦＩＤタグ１９１と、ホルダ部１６０ａのアンテナ部１６６との間の位置には、ホルダ部１６０ｂの電波遮断部としての左側面部１６１ａおよび奥側部１６１ｃが配置されている。このため、ホルダ部１６０ａのアンテナ部１６６と、隣接するホルダ部１６０ｂの試薬容器１９０のＲＦＩＤタグ１９１との間の通信経路Ａ１２は、ホルダ部１６０ｂの左側面部１６１ａおよび奥側部１６１ｃによって遮断される。ホルダ部１６０ｂのアンテナ部１６６についても同様であるので、説明を省略する。
【００７８】
【００７９】
（第１変形例）
また、上記実施形態では、各ホルダ部６０ａ〜６０ｅのアンテナ部６６と、試薬容器９０のＲＦＩＤタグ９１とがＸ方向に交互に並ぶように構成した例を示したが、図１２に示す第１変形例のように、アンテナ部と、ＲＦＩＤタグとを交互に並べなくともよい。
【００８０】
図１２に示すように、本実施形態の第１変形例による試薬収納部２２２ａには、ホルダ部２６０ａとホルダ部２６０ｂとが、電波遮断部２６１を挟んだ線対称となるように配置されている。電波遮断部２６１は、ホルダ部２６０ａとホルダ部２６０ｂとを仕切る金属製の仕切り板からなる。電波遮断部２６１は、上下方向（Ｚ方向）および奥行き方向に延びるように設けられている。
【００８１】
試薬収納部２２２ａには、電波遮断部２６１を挟んでＸ１方向側にホルダ部２６０ａが配置され、Ｘ２方向側にホルダ部２６０ｂが配置されている。ホルダ部２６０ａおよびホルダ部２６０ｂには、それぞれ、中央の電波遮断部２６１を挟んで内側に試薬容器２９０ａおよび２９０ｂが配置され、試薬容器２９０ａおよび２９０ｂの外側にアンテナ部２６６が配置されている。このため、第１変形例では、ホルダ部２６０ａにセットされる試薬容器２９０ａには、アンテナ部２６６が配置されるＸ１方向側側面にＲＦＩＤタグ２９１ａが貼付されている。また、ホルダ部２６０ｂにセットされる試薬容器２９０ｂには、アンテナ部２６６が配置されるＸ２方向側側面にＲＦＩＤタグ２９１ｂが貼付されている。
【００８２】
第１変形例では、ホルダ部２６０ａのアンテナ部２６６は、ホルダ部２６０ａにセットされた試薬容器２９０ａのＲＦＩＤタグ２９１ａとＸ方向の通信経路Ａ２１で通信可能である。一方、ホルダ部２６０ａとホルダ部２６０ｂとの間には、電波遮断部２６１が設けられているため、ホルダ部２６０ａのアンテナ部２６６と、隣接するホルダ部２６０ｂの試薬容器２９０ｂのＲＦＩＤタグ２９１ｂとの間の通信経路Ａ２２は、電波遮断部２６１によって遮断される。ホルダ部２６０ｂのアンテナ部２６６についても同様であるので、説明を省略する。
【００８３】
（第２変形例）
また、上記実施形態では、各ホルダ部６０ａ〜６０ｅをＸ方向に並ぶように構成した例を示したが、図１３に示す第２変形例のように、各ホルダ部を上下に配置してもよい。
【００８４】
図１３に示すように、本実施形態の第２変形例による試薬収納部３２２ａには、上側（Ｚ１方向側）のホルダ部３６０ａと下側（Ｚ２方向側）のホルダ部３６０ｂとが、電波遮断部３６１を挟んで上下に並ぶように配置されている。
【００８５】
ホルダ部３６０ａおよび３６０ｂは、それぞれ、Ｘ１方向側にアンテナ部３６６が配置され、Ｘ２方向側に試薬容器３９０がセットされるように構成されている。このため、ホルダ部３６０ａおよび３６０ｂは、アンテナ部３６６と試薬容器３９０のＲＦＩＤタグ３９１とがＸ方向に対向するように構成されている。電波遮断部３６１は、水平方向（Ｘ方向および奥行き方向）に延びるように設けられている。したがって、ホルダ部３６０ａのアンテナ部３６６および試薬容器３９０（ＲＦＩＤタグ３９１）と、ホルダ部３６０ｂのアンテナ部３６６および試薬容器３９０（ＲＦＩＤタグ３９１）とが、それぞれ電波遮断部３６１を挟んで上下に並んでいる。
【００８６】
第２変形例では、ホルダ部３６０ａのアンテナ部３６６は、ホルダ部３６０ａにセットされた試薬容器３９０のＲＦＩＤタグ３９１とＸ方向の通信経路Ａ３１で通信可能である。一方、ホルダ部３６０ａとホルダ部３６０ｂとの間には、電波遮断部３６１が設けられているため、ホルダ部３６０ａのアンテナ部３６６と、下側に隣接するホルダ部３６０ｂの試薬容器３９０のＲＦＩＤタグ３９１との間の通信経路Ａ３２は、電波遮断部３６１によって遮断される。ホルダ部３６０ｂのアンテナ部３６６についても同様であるので、説明を省略する。
【００８７】
（第３変形例）
また、上記実施形態では、５つのホルダ部６０（６０ａ〜６０ｅ）に、同一形状の試薬容器９０をそれぞれセット可能に構成した例を示したが、図１４に示す第３変形例のように、各ホルダ部に、異なる大きさの試薬容器をセットするように構成してもよい。
【００８８】
図１４に示すように、本実施形態の第３変形例による試薬収納部４２２ａは、大型の試薬容器９０（９０ａおよび９０ｂ）をセット可能な２つのホルダ部６０（６０ａおよび６０ｂ）と、小型の試薬容器４９０（４９０ｃ〜４９０ｅ）をセット可能な３つのホルダ部４６０（４６０ｃ〜４６０ｅ）とが、Ｘ方向に並んで配列されている。なお、ホルダ部６０および試薬容器９０の構成は、上記実施形態と同様である。試薬容器４９０は、長手方向（Ｙ方向）の長さが試薬容器９０よりも短く、試薬容器９０よりも小量の試薬を収容するように構成されている。
【００８９】
ホルダ部４６０は、左側面部４７０（４７０ｃ〜４７０ｅ）と右側面部４８０（４８０ｃ〜４８０ｅ）とを備えている。ホルダ部４６０には、小型の試薬容器４９０が設置されるため、ホルダ部４６０の手前側（Ｙ２方向側）でＲＦＩＤタグ４９１（４９１ｃ〜４９１ｅ）とＸ方向に対向する位置にアンテナ部４６６（４６６ｃ〜４６６ｅ）が配置されている。このため、ホルダ部４６０の左側面部４７０の切欠部の位置もＹ２方向側にずれている。このように、ホルダ部６０のアンテナ部６６とホルダ部４６０のアンテナ部４６６とは、Ｙ方向にずれた位置に配置されている。
【００９０】
ここで、ホルダ部６０ｂに着目すると、ホルダ部６０ｂのアンテナ部６６ｂは、ホルダ部６０ｂにセットされた試薬容器９０ｂのＲＦＩＤタグ９１ｂと通信経路Ｂ１で通信可能である。一方、ホルダ部６０ｂに対してＸ２方向に隣接するホルダ部４６０ｃにセットされた試薬容器４９０ｃのＲＦＩＤタグ４９１ｃと、ホルダ部６０ｂのアンテナ部６６ｂとの間の通信経路Ｂ４３は、ホルダ部６０ｂの右側面部８０ｂによって遮断（反射）される。
【００９１】
また、ホルダ部４６０ｃに着目すると、ホルダ部４６０ｃのアンテナ部４６６ｃは、ホルダ部４６０ｃにセットされた試薬容器４９０ｃのＲＦＩＤタグ４９１ｃと通信経路Ｃ４１で通信可能である。一方、ホルダ部４６０ｃに対してＸ１方向に隣接するホルダ部６０ｂにセットされた試薬容器９０ｂのＲＦＩＤタグ９１ｂと、ホルダ部４６０ｃのアンテナ部４６６ｃとの間の通信経路Ｃ４２は、ホルダ部６０ｂの右側面部８０ｂによって遮断（反射）される。また、ホルダ部４６０ｃに対してＸ２方向に隣接するホルダ部４６０ｄにセットされた試薬容器４９０ｄのＲＦＩＤタグ４９１ｄと、ホルダ部４６０ｃのアンテナ部４６６ｃとの間の通信経路Ｃ４３は、ホルダ部４６０ｃの右側面部４８０ｃによって遮断（反射）される。
【００９２】
この結果、ホルダ部６０ａ、６０ｂおよび４６０ｃ〜４６０ｅの各アンテナ部６６ａ、６６ｂおよび４６６ｃ〜４６６ｅは、それぞれ、対応する試薬容器９０ａ、９０ｂおよび４９０ｃ〜４９０ｅのＲＦＩＤタグ９１ａ、９１ｂおよび４９１ｃ〜４９１ｅと、通信経路Ａ１、Ｂ１、およびＣ４１〜Ｅ４１でのみ通信可能である。
【００９３】
なお、今回開示された実施形態および第１〜第３変形例は、すべての点で例示であって制限的なものではないと考えられるべきである。本発明の範囲は、上記した実施形態および第１〜第３変形例の説明ではなく特許請求の範囲によって示され、さらに特許請求の範囲と均等の意味および範囲内でのすべての変更が含まれる。
【００９４】
たとえば、上記実施形態では、分析装置の一例として、第１測定ユニットおよび第２測定ユニットの２つの測定ユニットを設けた例を示したが、本発明はこれに限られない。測定ユニットは、１つまたは３つ以上でもよい。
【００９５】
また、上記実施形態では、２つの測定ユニットと、検体搬送装置と、制御装置とを備えた血液分析システムを示したが、本発明はこれに限られない。上記のような分析システムを構成することなく、測定ユニット単体に本発明を適用してもよい。
【００９６】
また、上記実施形態および第３変形例では、試薬収納部に５つのホルダ部を設けた例を示し、上記第１〜第２変形例では、試薬収納部に２つのホルダ部を設けた例を示したが、本発明はこれに限られない。ホルダ部は、３つまたは４つ設けられていてもよいし、６つ以上設けられていてもよい。ホルダ部は、分析装置が使用する試薬の種類などに応じた数だけ設ければよい。
【００９７】
また、上記実施形態では、電波遮断部としての左側面部および右側面部を金属により形成した例を示したが、本発明はこれに限られない。電波遮断部は、電波を遮断することが可能であれば、金属以外の樹脂材料でもよい。
【００９８】
また、金属からなる電波遮断部では、電波を反射することにより遮断するが、電波遮断部は電波を反射しなくともよい。したがって、電波遮断部として、たとえば電波を吸収する電波吸収材（フェライトシート）などを設けてもよい。本発明の電波遮断部は、実質的に電波を遮断することが可能であればよく、電波を完全に遮断することなく、電波を減衰させるものも含む。すなわち、電波遮断部は、一のホルダ部のアンテナ部と、他のホルダ部にセットされた試薬容器のＲＦＩＤタグとが通信不可能な程度に電波を減衰させるように構成されていれば足りる。
【００９９】
また、上記実施形態では、電波遮断部としての左側面部および右側面部にそれぞれ案内部を一体的に設けるとともに、案内部が電波遮断部を兼用するように構成した例を示したが、本発明はこれに限られない。本発明は、案内部が左側面部および右側面部とは別体で設けられていてもよいし、案内部を設けなくてもよい。また、案内部が電波遮断部を兼用しなくともよい。
【０１００】
また、上記実施形態では、電波透過部としての切欠部が左側面部に設けられた例を示したが、本発明はこれに限られない。たとえば、電波遮断部としての左側面部の一部に、電波を透過する電波透過材料からなる電波透過部が設けられてもよい。
【０１０１】
また、上記実施形態では、保護部材を、電波通信可能な樹脂材料（ポリアセタール）により形成した例を示したが、本発明はこれに限られない。本発明では、保護部材を、ポリアセタール以外の樹脂材料により形成してもよいし、樹脂材料以外の他の電波透過材料により形成してもよい。
【符号の説明】
【０１０２】
２  第２測定ユニット
３  第１測定ユニット
６０（６０ａ〜６０ｅ）、１６０（１６０ａ、１６０ｂ）、２６０ａ、２６０ｂ、３６０ａ、３６０ｂ、４６０（４６０ｃ〜４６０ｅ）  ホルダ部（試薬ホルダ部）
６２（６２ａ〜６２ｅ）、１６２  配置部
６６（６６ａ〜６６ｅ）、１６６、２６６、３６６、４６６（４６６ｃ〜４６６ｅ）  アンテナ部（電波通信部）
６７  保護部材
７０  左側面部（電波遮断部）
７１  案内部
７２、１６１ｄ  切欠部（切り欠き）
８０  右側面部（電波遮断部）
８１  案内部
９０（９０ａ〜９０ｅ）、１９０、２９０ａ、２９０ｂ、３９０、４９０（４９０ｃ〜４９０ｅ）  試薬容器
９１（９１ａ〜９１ｅ）、１９１、２９１ａ、２９１ｂ、３９１、４９１（４９１ｃ〜４９１ｅ）  ＲＦＩＤタグ（記憶媒体）
【図１】
0005710328.tif 000002
【図２】
0005710328.tif 000003
【図３】
0005710328.tif 000004
【図４】
0005710328.tif 000005
【図５】
0005710328.tif 000006
【図６】
0005710328.tif 000007
【図７】
0005710328.tif 000008
【図８】
0005710328.tif 000009
【図９】
0005710328.tif 000010
【図１０】
0005710328.tif 000011
【図１１】
0005710328.tif 000012
【図１２】
0005710328.tif 000013
【図１３】
0005710328.tif 000014
【図１４】
0005710328.tif 000015